(57)【要約】【課題】容器の口部をより確実にシールすることができるサンプリング具を提供する。【解決手段】口部を有する容器から液体を抽出するように構成されたサンプリング具１００は、容器５０の口部５５に押し付けられるサンプリングヘッド１０と、口部５５をシールするようにサンプリングヘッド１０の下面に配置されたシリコーンゴム製パッキン２０と、サンプリングヘッド１０を貫通するようにサンプリングヘッド２０に取り付けられたサンプリングチューブ３０と、容器５０内にガスを供給するガスチューブ４０とを備える。【選択図】図１
2006029868.tif 000002
【特許請求の範囲】
【請求項１】
口部を有する容器から液体を抽出するサンプリング具であって、
前記口部に押し付けられるサンプリングヘッドと、
前記口部をシールするように前記サンプリングヘッドの下面に配置されたシリコーンゴム製パッキンと、
前記サンプリングヘッドを貫通するように前記サンプリングヘッドに取り付けられたサンプリングチューブと、
前記容器内にガスを供給するガスチューブと、
を備えることを特徴とするサンプリング具。
【請求項２】
口部、胴部、及び、前記口部と前記胴部の間の肩部を有する容器から液体を抽出するサンプリング具であって、
前記口部に押し付けられるサンプリングヘッドと、
前記口部をシールするように前記サンプリングヘッドの下面に配置されたパッキンと、
前記サンプリングヘッドを貫通するように前記サンプリングヘッドに取り付けられたサンプリングチューブと、
前記容器内にガスを供給するガスチューブと、
を備え、前記パッキンは、前記口部の外側を取り囲み前記肩部に密着して前記口部をシールするスカート部を有することを特徴とするサンプリング具。
【発明の詳細な説明】
【技術分野】
【０００１】
本発明は、容器から液体を抽出するためのサンプリング具に関する。
【背景技術】
【０００２】
バイアル瓶等の容器から被検査液を抽出するためのサンプリング具がある。従来のサンプリング具は、容器の口部に押し付けられるサンプリングヘッドと、口部をシールするようにサンプリングヘッドに取り付けられたポリエチレン製の円盤状パッキンと、サンプリングヘッドを貫通するようにサンプリングヘッドに取り付けられたサンプリングチューブと、容器内にガスを供給するガスチューブとを有し、ガスチューブを通して容器内にガスを供給することによってサンプリングチューブを通して被検査液をアナライザー（検査装置）に提供する構成を有する。
【特許文献１】実開平６−６７９６３号公報
【発明の開示】
【発明が解決しようとする課題】
【０００３】
従来のポリエチレン製パッキンでは、容器の口部に押し付けられたときに、容器の口部との間に隙間が生じるように変形し、所望のシール機能が得られず、隙間からのガス漏れにより規定量の被検査液を抽出することができない場合がある。また、従来のポリエチレン製パッキンは、消耗が著しく、頻繁な交換を要求する。
【０００４】
更に、従来のパッキンは、円盤形状であるために、容器の口部との密着部が口部の上端面の面積に限定されるので、密着部の面積が小さく、高いシール機能を得ることが難しい。
【０００５】
本発明は、上記の課題認識を基礎としてなされたものであり、例えば、容器の口部をより確実にシールすることができるサンプリング具を提供することを目的とする。
【課題を解決するための手段】
【０００６】
本発明の第１の側面に係るサンプリング具は、口部を有する容器から液体を抽出するサンプリング具として構成され、前記口部に押し付けられるサンプリングヘッドと、前記口部をシールするように前記サンプリングヘッドの下面に配置されたシリコーンゴム製パッキンと、前記サンプリングヘッドを貫通するように前記サンプリングヘッドに取り付けられたサンプリングチューブと、前記容器内にガスを供給するガスチューブとを備えることを特徴とする。
【０００７】
本発明の第２の側面に係るサンプリング具は、口部、胴部、及び、前記口部と前記胴部の間の肩部を有する容器から液体を抽出するサンプリング具として構成され、前記口部に押し付けられるサンプリングヘッドと、前記口部をシールするように前記サンプリングヘッドの下面に配置されたパッキンと、前記サンプリングヘッドを貫通するように前記サンプリングヘッドに取り付けられたサンプリングチューブと、前記容器内にガスを供給するガスチューブとを備え、前記パッキンは、前記口部の外側を取り囲み前記肩部に密着して前記口部をシールするスカート部を有することを特徴とする。
【発明の効果】
【０００８】
本発明のサンプリング具によれば、例えば、容器の口部をより確実にシールすることができる。
【発明を実施するための最良の形態】
【０００９】
以下、添付図面を参照しながら本発明の好適な実施形態を説明する。
【００１０】
図１は、本発明の第１実施形態のサンプリング具の構成を示す図である。第１実施形態のサンプリング具１００は、口部５５を有する容器（例えば、バイアル瓶）５０から被検査液（例えば、ビール、発泡酒、ワイン、焼酎、ウイスキー、アルコール入り飲料、清涼飲料）６０を抽出するように構成されている。サンプリング具１００は、バネ又はアクチュエータ等によって口部５５に押し付けられるサンプリングヘッド１０と、口部５５をシールするようにサンプリングヘッド１０の下面に配置されたシリコーンゴム製パッキン２０と、サンプリングヘッド１０及びパッキン２０を貫通するようにサンプリングヘッド１０に取り付けられたサンプリングチューブ３０と、容器５０内にガスを供給するガスチューブ４０とを備えている。
【００１１】
サンプリングチューブ３０及びガスチューブ４０は、典型的には、被検査液を検査するアナライザーに接続され、ガスチューブ４０を通してアナライザーから容器５０内にガス（例えば、清浄化されたエアー、不活性ガス等）が送り込まれ、そのガスの圧力によってサンプリングチューブ３０を通して容器５０内の被検査液６０がアナライザーに送られる。
【００１２】
シリコーンゴム製パッキン２０は、例えば、ほぼ中央部にサンプリングチューブ３０の外径よりもやや小さな径をもつ貫通孔を有し、この貫通孔にサンプリングチューブ３０が挿入されることによって、サンプリングチューブ３０によって保持され得る。或いは、パッキン２０は、接着剤等の固定手段によってサンプリングヘッド１０の下面に接着されてもよい。前者においては、パッキン２０の貫通孔の周辺部の肉厚をその外側の部分（口部をシールするシール部分）の肉厚よりも薄くし、パッキン２０の貫通孔にサンプリングチューブ３０が通されることに起因してパッキン２０のシール部分に生じ得る歪み或いは撓みを低減することが好ましい。後者においては、パッキン２０に設けられる貫通孔は、サンプリングチューブ３０の外径よりも大きいことが好ましく、この場合、貫通孔にサンプリングチューブ３０が通されることに起因してパッキン２０に歪み或いは撓みが生じることがなく、より確実に容器５０の口部５５をシールすることができる。
この実施形態によれば、シリコーンゴム製パッキン２０を採用することにより、ポリエチレン製パッキンに比べて、耐久性を格段に向上させることができる。また、この実施形態によれば、ポリエチレンに比べて十分に大きな復元力を有するシリコーンゴムを採用することにより、口部５５とパッキン２０との間に隙間が生じうる問題を解決し、口部５５をより確実にシールすることができ、規定量の被検査液の抽出が可能になる。
【００１３】
図２は、本発明の第２実施形態のサンプリング具の構成を示す図である。第１実施形態と共通する構成要素には、同一の参照符号を付し、説明を省略する。サンプリング具２００は、第１実施形態におけるパッキン２０の構造を変更したものである。
サンプリング具２００は、口部５５、胴部５６、及び、口部５５と胴部５６との間の肩部５７を有する容器５０から被検査液を抽出することができるように構成されている。
【００１４】
パッキン９０は、例えば、ほぼ中央部にサンプリングチューブ３０の外径よりもやや小さな径をもつ貫通孔を有し、この貫通孔にサンプリングチューブ３０が挿入されることによって、サンプリングチューブ３０によって保持され得る。或いは、パッキン９０は、接着剤等の固定手段によってサンプリングヘッド１０の下面に接着されてもよい。前者においては、パッキン９０の貫通孔の周辺部の肉厚をその外側の部分（口部をシールするシール部分）の肉厚よりも薄くし、パッキン９０の貫通孔にサンプリングチューブ３０が通されることに起因してパッキン９０のシール部分に生じ得る歪み或いは撓みを低減することが好ましい。後者においては、パッキン９０に設けられる貫通孔は、サンプリングチューブ３０の外径よりも大きいことが好ましく、この場合、貫通孔にサンプリングチューブ３０が通されることに起因してパッキン９０に歪み或いは撓みが生じることがなく、より確実に容器５０の口部５５をシールすることができる。
パッキン９０は、サンプリングチューブ３０を通するための貫通孔と、容器５０内にガスを供給するための貫通孔とを有する円盤部９２と、円盤９２から下方に延びて、容器５０の口部５５を取り囲み、容器５０の肩部５７に密着して口部５５をシールするスカート部９４とを有する。円盤部９２とスカート部９４とは、典型的には、一体成形されうる。スカート部９４を設けることにより、口部５５をシールするシール部分（スカート部９４は、口部５５の上端面とは接触しないが、口部５５を取り囲む空間を密閉することによって結果として口部５５をシールする）の面積をパッキン９０の設計時に自由に決定することができ、口部５５の上端面をシール部とする構成に比べて、シール性を高めることが容易である。
【００１５】
図２に示す構成例では、スカート部９４の下部のほか、円盤部９２によっても口部５５をシールすることができ、より確実に口部５５をシールすることができる。
パッキン９０は、例えば、第１実施形態と同様に、シリコーンゴムで構成されることが好ましい。
【図面の簡単な説明】
【００１６】
【図１】本発明の第１実施形態のサンプリング具の構成を示す図である。
【図２】本発明の第２実施形態のサンプリング具の構成を示す図である。
【符号の説明】
【００１７】
１０  サンプリングヘッド
２０  シリコーンゴム製パッキン
３０  サンプリングチューブ
４０  ガスチューブ
５０  容器
５５  容器の口部
５６  容器の胴部
５７  容器の肩部
６０  被検査液
９０  パッキン
９２  パッキンの円盤部
９４  パッキンのスカート部
１００、２００  サンプリング具
【図１】
2006029868.tif 000003
【図２】
2006029868.tif 000004